(57)【要約】【課題】情報表示部の輝度が眠るとき等で邪魔になることがないようにすることを目的とする。【解決手段】情報を表示する情報表示部１を有する音響再生装置において、この情報表示部１の輝度を制御する輝度制御手段４を設け、時刻を設定してこの輝度制御手段４によりこの情報表示部１の輝度を制御するようにしたものである。【選択図】        図１
2006065984.tif 000002
【特許請求の範囲】
【請求項１】
情報を表示する情報表示部を有する音響再生装置において、
前記情報表示部の輝度を制御する輝度制御手段を設け、時刻を設定して前記輝度制御手段により前記情報表示部の輝度を制御するようにしたことを特徴とする音響再生装置。
【請求項２】
情報を表示する情報表示部を有すると共に所定時間経過すると自動的に電源がオフするようになされたおやすみタイマーが設けられた音響再生装置において、
前記おやすみタイマーが設定されたときに前記情報表示部の輝度を暗く制御するようにしたことを特徴とする音響再生装置。
【発明の詳細な説明】
【技術分野】
【０００１】
本発明は音楽等を聴くことができる音響再生装置に関する。
【背景技術】
【０００２】
従来、例えばＣＤプレーヤ、カセットプレーヤ及びラジオ受信機が一体に組み込まれた図４に示す如き音響再生装置が提案されている。斯かる音響再生装置においては、ラジオ受信機の受信周波数ＣＤプレーヤの再生曲名等の種々の情報を表示する例えば蛍光表示管(ＦＬ管)、液晶ディスプレイ（ＬＣＤ）等より成る情報表示部１が設けられると共に例えばラジオ受信機のラジオ放送を聴きながら眠れるように設定操作後、所定時間例えば１時間経過すると自動的に電源をオフするようになされた、おやすみタイマーが設けられている。
【０００３】
また、特許文献１に映像信号の有無に関係してＡＶアンプ装置の表示部の輝度を切り替えるようにしたものが開示されている。
【特許文献１】特開２００１−３４６１２号公報
【発明の開示】
【発明が解決しようとする課題】
【０００４】
然しながら、音響再生装置のおやすみタイマーを設定操作し、その後、部屋を暗くして、例えば音楽を聴きながら寝ようとしたときにも、この情報を表示する情報表示部１は通常の輝度であるので明るく、眠るのに邪魔になる不都合があった。
【０００５】
本発明音響再生装置は、斯かる点に鑑み、この情報表示部の輝度が眠るとき等で邪魔になることがないようにすることを目的とする。
【課題を解決するための手段】
【０００６】
本発明音響再生装置は、情報を表示する情報表示部を有する音響再生装置において、
この情報表示部の輝度を制御する輝度制御手段を設け、時刻を設定しこの輝度制御手段によりこの情報表示部の輝度を制御するようにしたものである。
【０００７】
本発明によれば、時刻を設定して情報表示部の輝度を制御して通常より暗い所定の明るさとするようにしたので、所望時刻に情報表示部の輝度が邪魔とならないようにできる。
【０００８】
また、本発明音響再生装置は、情報を表示する情報表示部を有すると共に所定時間経過すると自動的に電源がオフするようになされたおやすみタイマーが設けられた音響再生装置において、このおやすみタイマーが設定されたときにこの情報表示部の輝度を暗く制御するようにしたものである。
【０００９】
本発明によれば、おやすみタイマーが設定されたときに情報表示部の輝度を暗く制御するようにしたので、例えば音楽を聴きながら眠るときに、この情報表示部の輝度が邪魔になることがない。
【発明の効果】
【００１０】
本発明によれば、情報表示部の輝度が眠るとき等で邪魔になることがない。
【発明を実施するための最良の形態】
【００１１】
以下、図面を参照して本発明音響再生装置を実施するための最良の形態の例につき説明する。
【００１２】
本例による音響再生装置は図４に示す如く、例えばＣＤプレーヤ、カセットプレーヤ及びラジオ受信機が一体に組み込まれたもので、この音響再生装置においては、ラジオ受信機の受信周波数、ＣＤプレーヤの再生曲名等種々の情報を表示する例えば蛍光表示管（ＦＬ管）、液晶ディスプレイ（ＬＣＤ）等より成る情報表示部１が設けられると共に例えばラジオ受信機のラジオ放送を聴きながら眠れるように、設定操作後、所定時間例えば１時間経過すると自動的に電源をオフするようになされた「おやすみタイマー」が設けられている。図４中、２はおやすみタイマーの設定ボタンである。
【００１３】
本例による音響再生装置の構成は、図１に示す如くであり、図１において、３はＣＤプレーヤ、カセットプレーヤ、ラジオ受信機等よりなる音響再生装置本体を示し、この音響再生装置本体３はマイコンより成る制御部４により、周知の如く、種々の制御がなされる。
【００１４】
この制御部４にはタイマー５を有し、このタイマー５により種々の時刻設定がなされる。また、この制御部４により情報表示部１の表示内容が制御される。
【００１５】
本例においては、この制御部４により、この情報表示部１の輝度を制御するごとくする。例えば、情報表示部１が液晶ディスプレイのときはバックライトの輝度をこの制御部４により制御するようにする。
【００１６】
図１において、６は制御部４と共に動作するワークＲＡＭを示し、７はおやすみタイマー設定ボタン２を含む種々の操作ボタンが設けられたキー装置である。
【００１７】
本例においては、この制御装置４は図２のフロ−チャートに示す如く動作するようにする。即ちおやすみタイマー設定ボタン２を操作した（ステップＳ１）ときは、情報表示部１の輝度（明るさ）を通常より暗い所定の明るさ例えば通常の明るさを１００％としたとき５０％の輝度（明るさ）となる如くする。これは情報表示部１がＬＣＤより成るときはバックライトの明るさを制御する等により行うことができる。
【００１８】
次におやすみタイマーモードを解除したかを判断し（ステップＳ３）、解除しないときは、その後、おやすみタイマー終了かを判断し、例えばおやすみタイマー設定ボタン２を操作してから１時間経過したかを判断し（ステップＳ４）、終了していないときは、ステップＳ２、ステップＳ３、ステップＳ４を繰り返し、この情報表示部１の輝度を暗く維持し、おやすみタイマーが終了したときは、この音響再生装置の電源をオフとし（ステップＳ５）、終了するようにする。
【００１９】
また、ステップＳ３で、おやすみタイマーモードが解除されたと判断されたときは、この情報表示部１の輝度を通常の明るさに戻し（ステップＳ６）、終了する。
【００２０】
本例によれば、おやすみタイマー設定ボタン２が操作され、おやすみタイマーが設定されたときに情報表示部１の輝度を暗く制御するようにしたので、例えば音楽を聴きながら眠るときに、この情報表示部１の輝度（明るさ）が邪魔になることがない。
【００２１】
また、本例においては、ユーザが、この情報表示部１の輝度を暗くしたい時刻を設定できる如くする。例えば図３Ａフローチャートに示す如く情報表示部１の輝度を暗くしたい時刻を設定したいときは、キー装置７に設けたタイマー設定ボタンを操作する（ステップＳ７）。
【００２２】
その後、その開始時刻例えば寝る時間帯の開始時刻午後１０時を設定し（ステップＳ８）、この開始時刻をＲＡＭ６に記憶すると共にその終了時刻例えば午前５時を設定し（ステップＳ９）、これをＲＡＭ６に記憶して終了する。
【００２３】
この情報表示部１の輝度を暗くしたい時刻を設定したときは、制御部４は図３Ｂのフローチャートに示す如き動作をおこなう。即ち、タイマー５が設定の開始時刻例えば午後１０時になったかどうかを判断し（ステップＳ１０）、これを繰り返し、開始時刻例えば午後１０時になったときは、情報表示部１の輝度（明るさ）を通常より暗い所定の明るさ例えば通常の明るさの５０％の明るさとする（ステップＳ１１）。
【００２４】
次に設定の終了時刻例えば午前５時になったかどうかを判断し（ステップＳ１２）、終了時刻例えば午前５時になっていないときは、情報表示部１の輝度を通常より暗くし続ける。
【００２５】
このステップＳ１２において、終了時刻例えば午前５時となったときは、この情報表示部１の輝度を通常の明るさに戻して（ステップＳ１３）、終了する。
【００２６】
この図３例においては、時刻を設定して情報表示部１の輝度を制御して通常より暗い所定の明るさとするようにしたので、所望の時刻に情報表示部１の輝度が邪魔とならないようにできる。
【００２７】
例えば寝る時間帯等で部屋を暗くする時刻に合わせて、この音響再生装置の情報表示部１の輝度を通常より暗い所定の明るさとするようにすれば、寝るときでも邪魔にならないで、音楽等を聴くことができる。
【００２８】
また、寝る時間帯はある程度決まっているので、図３例の如く前もって、この時間帯を設定しておくと、その時間帯においてはこの音響再生装置の情報表示部１は通常より暗い所定明るさで表示する。即ち本例では、音響再生装置の電源をオンしたときに、ユーザが設定した時間帯であれば、この情報表示部１の輝度は通常より暗い所定の明るさとなり、暗い部屋でも邪魔にならないようにできる。
【００２９】
尚、本発明は上述例に限ることなく、本発明の要旨を逸脱することなく、その他種々の構成が採りうることは勿論である。
【図面の簡単な説明】
【００３０】
【図１】本発明音響再生装置を実施するための最良の形態の例を示す構成図である。
【図２】本発明の説明に供するフローチャートである。
【図３】本発明の説明に供するフローチャートである。
【図４】音響再生装置の例を示す外観斜視図である。
【符号の説明】
【００３１】
１…情報表示部、２…おやすみタイマー設定ボタン、３…音響再生装置本体、４…背魚部、５…タイマー、６…ＲＡＭ、７…キー装置
【図１】
2006065984.tif 000003
【図２】
2006065984.tif 000004
【図３】
2006065984.tif 000005
【図４】
2006065984.tif 000006